(57)【要約】  【課題】発泡倍率の低下を防止する。  【解決手段】発泡部３に放出区画１の空気を吸引し、放射ノズル９から放出された泡水溶液ｗを発泡用網７に衝突させて発泡させる高膨張泡消火設備であって；前記発泡用網７の上流側に、流速規制網１０を隣接して配設する。  【選択図】  図１
2008136542.tif 000002
【特許請求の範囲】
【請求項１】
発泡部に放出区画の空気を吸引し、放射ノズルから放出された水溶液を発泡用網に衝突させて発泡させる高膨張泡消火設備であって；
前記発泡用網の上流側に、流速規制網を隣接して設けたことを特徴とする高膨張泡消火設備。
【請求項２】
前記流速規制網の網目は、前記発泡用網の網目より大きく形成されていることを特徴とする請求項１記載の高膨張泡消火設備。
【請求項３】
発泡部に放出区画の空気を吸引し、放射ノズルから放出された水溶液を発泡用板に衝突させて発泡させる高膨張泡消火設備であって；
前記発泡用板は、発泡孔と流速規制手段とを備えた減速発泡用板であることを特徴とする高膨張泡消火設備。
【請求項４】
前記流速規制手段は、筒状突起、三角垂形状の突起、又は、開口規制傾斜片、であることを特徴とする請求項３記載の高膨張泡消火設備。
【請求項５】
発泡部に放出区画の空気を吸引し、放射ノズルから放出された水溶液を発泡用網、又は、発泡用板に衝突させて発泡させる高膨張泡消火設備の発泡方法であって；
前記放射ノズルから放出された水溶液の流速を流速規制手段により減速し、前記発泡用網の網目、又は、前記発泡用板の発泡孔への挿入速度を規制することを特徴とする高膨張泡消火設備の発泡方法。
【発明の詳細な説明】
【技術分野】
【０００１】
この発明は、石油タンクのピット、石油コンビナートのカルバート、或いは、船室、船倉等に用いられる高膨張泡消火設備及びその発泡方法に関するものであり、更に述べると、発泡倍率の低下を防止できる、高膨張泡消火設備及びその発泡方法に関するものである。
【背景技術】
【０００２】
泡消火設備では、放射ノズルから泡水溶液を放出し、それを発泡用網に衝突させて空気を吸い込ませることにより発泡させ、この泡で火源を埋め尽くし、窒息消火を行っている。この泡消火設備には、低発泡消火設備と高発泡（高膨張泡）消火設備とがある。
【０００３】
前記両消火設備では、発泡倍率が異なり、例えば、低発泡消火設備の発泡倍率は２０以下、高膨張泡消火設備の発泡倍率は、８０以上１０００未満、である。ここで発泡倍率とは、泡水溶液と生成された泡の体積比をいう。
【０００４】
高膨張泡、例えば、発泡倍率５００以上で泡を発生させるためには、放射ノズルの上流側から大量の空気を取り込む必要があるが、前記大量の空気を取り込む場合には、室外の空気を吸引する方式（「アウトサイドエア」という）が一般的である。
【０００５】
しかし、このアウトサイドエアでは、外部の空気を利用するため、建屋にダクトを貫設したり、隔壁に穴を開けて泡発生器を配設したりするので、コストが嵩む等の問題がある。
【０００６】
そこで、上記問題を解決するため、泡を放出する区画内の空気を吸引する方式（「インサイドエア」という）の高膨張泡消火設備が用いられている(例えば、特許文献１参照)。
【０００７】
【特許文献１】特開平６−１６５８３７号公報
【発明の開示】
【発明が解決しようとする課題】
【０００８】
インサイドエアの高膨張泡消火設備では、火災時に発生する煙の量、質によっては、発泡倍率が設計通りにならず、例えば、設計された発泡倍率が５００の場合には、実際の発泡倍率が１００、となってしまう場合もある。この様に発泡倍率が低下すると、泡で火源を完全に覆い尽くすことができなくなるので、効果的に窒息消火を行うことができなくなる。発泡倍率が低下する原因は、後で詳細に述べるが、主に空気中の煙の存在である。
【０００９】
この発明は、上記事情に鑑み、発泡倍率の低下を防止することを目的とする。
【課題を解決するための手段】
【００１０】
この発明は、発泡部に放出区画の空気を吸引し、放射ノズルから放出された水溶液を発泡用網に衝突させて発泡させる高膨張泡消火設備であって；前記発泡用網の上流側に、流速規制網を隣接して設けたことを特徴とする。
【００１１】
この発明の前記流速規制網の網目は、前記発泡用網の網目より大きく形成されていることを特徴とする。
【００１２】
この発明は、発泡部に放出区画の空気を吸引し、放射ノズルから放出された水溶液を発泡用板に衝突させて発泡させる高膨張泡消火設備であって；前記発泡用板は、発泡孔と流速規制手段とを備えた減速発泡用板であることを特徴とする。
【００１３】
この発明の前記流速規制手段は、筒状突起、三角垂形状の突起、又は、開口規制傾斜片、であることを特徴とする。
【００１４】
この発明は、発泡部に放出区画の空気を吸引し、放射ノズルから放出された水溶液を発泡用網、又は、発泡用板に衝突させて発泡させる高膨張泡消火設備の発泡方法であって；前記放射ノズルから放出された水溶液の速度を流速規制手段により減速し、前記発泡用網の網目、又は、前記発泡用板の発泡孔への挿入速度を規制することを特徴とする。
【発明の効果】
【００１５】
この発明は、以上のように構成したので、放射ノズルから噴射された泡水溶液は、減速された後に発泡用網の網目、又は、発泡用板の発泡孔へ挿入される。そのため、泡膜が形成されやすい状態となるので、発泡倍率の低下を防止することができる。
【発明を実施するための最良の形態】
【００１６】
本件発明者は、高膨張泡消火設備の発泡倍率の低下原因について研究、実験したところ、「煙」に主な原因があることが分かった。この煙は、火災の発生により室（泡の放出区画）内に発生するが、液体の微粒子、例えば、粒径１μm以下の微粒子、となって室内に浮遊する。この微粒子が、放射区画の空気に混じって空気吸引部に吸引されたときに、空気と一緒になって起泡部に供給され、発泡倍率を低下させているのである。
【００１７】
本件発明者は、前記問題を解決するためには、煙粒子を除去すれば良いことに気が付いたが、それを除去しなくとも、発泡倍率の低下を防止することができるのではないか、と考えた。
【００１８】
一般に、高膨張泡等の泡は、泡原液に含まれる界面活性剤の二層膜であり、親水領域を挟む内側薄膜と外側薄膜とから構成されているが、前記両薄膜は並んで同時に形成されながら、空気を抱え込み泡状体になる、と言われている。そして、本件発明者は煙粒子などの異物が存在すると、発泡率が良くないのは、前記両薄膜の形成速度が遅くなり、標準設定で放射ノズルを運転した場合には、前記放射された泡水溶液の液滴の速度が速すぎて、前記両薄膜を並んで同時に形成することができなくなり、網目を通り抜けてしてしまうためである、と考えた。
【００１９】
前記問題の解決策として、放射圧力を標準設定より小さくして放射ノズルの噴射速度を落とし、泡水溶液の液滴が、網目を通り難くすることが考えられる。そこで、放射ノズルの噴射圧力を変化させて所定濃度の泡水溶液の発泡状態を実験してみたところ、噴射圧力が0.5Mpaでは、発泡倍率が正常時に比べ１／5以下まで低下する煙条件の下で、0.2Mpaでは、4／5程度までしか低下しなかった。
【００２０】
この様に、泡水溶液の放射圧力を落とすと、発泡し易くなるが、空気吸引量及び放射泡水溶液の量が標準設定より少なくなる。そのため、発泡量が少なくなり、所定時間内に所望の発泡量を得ることができなくなる。
【００２１】
そこで、本発明者は、流速規制網、又は、発泡用板の流速規制手段を用いて、前記泡水溶液の液滴の速度を遅くすることにより、前記問題を解決しようとするものである。本件発明は、以上の知見に基づいてなされたものである。
【実施例】
【００２２】
この発明の実施例を図１、図２により説明する。
泡の放出区画である部屋（室）１には、高膨張泡消火設備が設けられている。この消火設備は、例えば、発泡倍率５００であり、放出区画１内の空気を吸引する起泡部３が設けられている。
【００２３】
起泡部３は、筒状に形成され、その先端には、発泡用網（ネット）７が張設され、又、その内部には、前記発泡用網７と間隔をおいて対向する、複数の放射ノズル９が設けられている。この放射ノズル９は、泡水溶液を生成する混合器(図示省略)に連結されている。
【００２４】
前記発泡用網７の上流側には、流速規制網１０が隣接して設けられている。この流速規制網１０の網目のサイズは、発泡用網７のそれより大きく形成されているが、そのサイズは、必要に応じて適宜選択される。
【００２５】
この流速規制網１０は、図２に示すように、一枚の金網を波状に折り曲げ、前記発泡用網７と相似状に形成されているが、この流速規制網１０の形状は、必要に応じて適宜選択される。又、流速規制網１０は、前記発泡用網７から隙間ｔだけ離間しているが、この隙間ｔの大きさは、必要に応じて適宜選択される。
【００２６】
次に本実施例の作動について説明する。
部屋１内で火災が発生すると、図示しない火災感知器が火災を検知し、制御盤に火災信号を送出する。そうすると、該制御盤は、高膨張泡消火設備を起動させるので、発泡部３に室内空気、即ち、前記発泡部３が配設されている近傍の部屋（放出区画）１の空気K、が吸引されるとともに、放射ノズル９から泡水溶液（単に、「水溶液」、と言うこともある）wが液滴となって放出される。
【００２７】
前記液滴は、流速規制網１０に衝突して減速された後、網目１０ａを通って発泡用網７に衝突し、網目に入るが、その挿入速度は従来例に比べ遅くなっている。そのため、発泡しやすい状態となるので、泡水溶液の水滴は、効率よく高膨張泡１２を形成することができる。
【００２８】
又、この流速規制網１０の設置によるもう一つの作用は、前記の液滴を二回衝突させ、発泡させることである。具体的には、液滴の一部が前記流速規制網１０との衝突で発泡し、発泡していない一部の液滴は網目１０ａを通って発泡用網７に衝突して発泡する。そうすると、液滴の発泡機会が増え、効率よく高膨張泡12を形成することができる。
【００２９】
この発明の第2実施例を図３〜図５により説明するが、図１、図２と同一図面符号は、その名称も機能も同一である。
この実施例と第1実施例との相違点は、発泡用網と流速規制網を用いる代わりに、発泡機能と流速規制機能とを有する、一枚の減速発泡用板を用いることである。
【００３０】
この減速発泡用板１５は、発泡機能を有する発泡孔１５ａと、放射ノズル９に対向する側の面（前面）に設けられ、且つ、流速規制機能を有する筒体１５ｂと、を備えている。前記発泡孔１５ａは、複数個設けられ、又、筒体１５ｂは前記発泡孔１５ａを包囲している。前記発泡孔１５ａの大きさ、個数、筒体１５ｂの高さ等は、必要に応じて適宜選択される。
【００３１】
この実施例では、放射ノズル９から噴射された泡水溶液ｗは、液滴となって減速発泡用板１５の筒体１５ｂに衝突し、減速される。その後空気Ｋとともに発泡孔１５ａに進入し、空気Ｋを吸い込んで発泡し、高膨張泡１２となる。
更に、筒体１５ｂは、その阻害で液滴が発泡孔15ａの周囲に垂れて、その多くの垂れによって液滴の発泡の機会が多くなり、効率よく高膨張泡12を形成することができる。
【００３２】
この発明の第３実施例を図６、図７により説明するが、図３〜図５と同一図面符号は、その名称も機能も同一である。
この実施例と第２実施例（図３〜図５）との相違点は、流速規制手段として、筒体の替りに三角垂形状の突起１８ｂを用いたことである。この突起１８ｂは、複数個設けられているが、その配設位置は、必要に応じて適宜選択され、例えば、発泡孔１８ａの縁部に設けられる。
【００３３】
なお、前記突起１８ｂの断面は、必ずしも三角垂形状に限定されるものではなく、例えば、台形状、柱状等に形成することもできる。又、前記突起１８の高さは、必要に応じて適宜選択される。
【００３４】
この実施例では、放射ノズル９から噴射された泡水溶液ｗは、液滴となって減速発泡用板１８の突起１８ｂに衝突し、減速される。その後空気Ｋとともに発泡孔１８ａに進入し、空気Ｋを吸い込んで発泡し、高膨張泡１２となる。
更に、突起１８ｂは、その阻害で液滴が発泡孔18ａの周囲に垂れて、その多くの垂れによって液滴の発泡の機会が多くなり、効率よく高膨張泡12を形成することができる。
【００３５】
この発明の第４実施例を図８、図９により説明するが、図３〜図５と同一図面符号は、その名称も機能も同一である。
この実施例と第３実施例（図６、図７）との相違点は、流速規制手段として、筒体の替りに、開口規制傾斜片２０ｂを用いたことである。この傾斜片２０ｂは、発泡孔２０ａを形成するときに切り起こされて折り曲げられた部分で、その傾斜角度は必要に応じて適宜選択される。
【００３６】
なお、発泡孔２０ａは、三角形状に形成され、開口規制傾斜片２０ｂも三角形状に形成されているが、その形状は、必要に応じて適宜選択することができる。
【００３７】
この実施例では、放射ノズル９から噴射された泡水溶液ｗは、液滴となって減速発泡用板２０の開口規制傾斜片２０ｂに衝突し、減速される。その後空気Ｋとともに発泡孔２０ａに進入し、空気Ｋを吸い込んで発泡し、高膨張泡１２となる。
更に、開口規制傾斜片２０は、その阻害で液滴が発泡孔２０ａの周囲に垂れて、その多くの垂れによって液滴の発泡の機会が多くなり、効率よく高膨張泡12を形成することができる。
【図面の簡単な説明】
【００３８】
【図１】本発明の第１実施例を示す縦断面図である。
【図２】流速規制網の平面図である。
【図３】本発明の第２実施例を示す縦断面図である。
【図４】減速発泡用板を示す斜視図である。
【図５】図４のＶ−Ｖ線断面図である。
【図６】本発明の第３実施例の減速発泡用板を示す縦断面図である。
【図７】図７のVII−VII線断面図である。
【図８】本発明の第４実施例の減速発泡用板を示す縦断面図である。
【図９】図８のIX−IX線断面図である。
【符号の説明】
【００３９】
１      放出区画
３      発泡部
７      発泡用網
９      放射ノズル
１０    流速規制網
１２    高膨張泡
１５    減速発泡用板
１８    減速発泡用板
２０    減速発泡用板
【図１】
2008136542.tif 000003
【図２】
2008136542.tif 000004
【図３】
2008136542.tif 000005
【図４】
2008136542.tif 000006
【図５】
2008136542.tif 000007
【図６】
2008136542.tif 000008
【図７】
2008136542.tif 000009
【図８】
2008136542.tif 000010
【図９】
2008136542.tif 000011